(57)【要約】【課題】間接押出プレス装置においてビレットの押し詰まりが発生したとき、ダイステムとコンテナホルダとの間に露出させた押出製品を切断することができる補助ホットソー装置と、該補助ホットソー装置を使用する押出製品の切断方法を提供する。【解決手段】隣り合うタイロッド３と平行に配置されるガイド部４１と、ガイド部４１に案内されるベース部４２と、ベース部４２及びタイロッド３間に配置され、ベース部４２をエンドプラテン１１に対して離間及び接近させる駆動シリンダ４３と、ベース部４２に配置され、コンテナホルダ１３との干渉を回避する待機位置と、ダイステム８とコンテナホルダ１３との間に露出させた押出製品１５０の切断が可能な切断位置との間で、回転可能なホットソー４４ａを移動させるホットソー移動機構４４と、を備える、間接押出プレス装置１の補助ホットソー装置４０によって達成される。【選択図】図２
2020192581.tif 000002
【特許請求の範囲】
【請求項１】
エンドプラテンとコンテナホルダとの間の、隣り合うタイロッドと平行に配置されるガイド部と、
前記ガイド部に案内されるベース部と、
シリンダロッド及びシリンダ本体部のいずれか一方が前記タイロッド側に、他方が前記ベース部に固定され、前記ベース部を前記エンドプラテンに対して離間及び接近させる駆動シリンダと、
前記ベース部に配置され、前記コンテナホルダとの干渉を回避する待機位置と、前記エンドプラテンに配置されるダイステムと前記コンテナホルダとの間に露出させた押出製品の切断が可能な切断位置との間で、回転可能なホットソーを移動させるホットソー移動機構と、
を備える
ことを特徴とする、間接押出プレス装置の補助ホットソー装置。
【請求項２】
前記ガイド部が、上方の隣り合う前記タイロッドと平行に配置される
ことを特徴とする、請求項１に記載の、間接押出プレス装置の補助ホットソー装置。
【請求項３】
前記エンドプラテンに対向配置され、前記タイロッドで前記エンドプラテンと連結されるメインシリンダハウジングと、前記エンドプラテンとの間に、前記メインシリンダハウジング及び前記エンドプラテンに接触するように、前記タイロッドの外周に配置されたプリコンチューブに、前記ガイド部が配置される
ことを特徴とする、請求項１又は請求項２に記載の、間接押出プレス装置の補助ホットソー装置。
【請求項４】
前記駆動シリンダの前記シリンダロッドを後退限位置に維持させて、前記補助ホットソー装置を補助ホットソー装置待機位置に待機させておく補助ホットソー装置待機工程と、
押出工程途中に、コンテナ内のビレットの押し詰まりが発生した際、前記コンテナホルダを前記エンドプラテンから離間させて、前記エンドプラテンに配置される前記ダイステムと前記コンテナホルダとの間に前記押出製品を露出させる押出製品切断準備工程と、
前記駆動シリンダの前記シリンダロッドを前進限位置に移動させて、前記補助ホットソー装置を前記押出製品の前記切断位置に対応する補助ホットソー装置切断位置に移動させる補助ホットソー装置移動工程と、
前記補助ホットソー装置の前記ホットソーを前記切断位置まで移動させて、前記押出製品を切断させる押出製品切断工程と、
前記補助ホットソー装置の前記ホットソーを前記待機位置まで移動させた後、前記駆動シリンダの前記シリンダロッドを後退限位置に移動させて、前記補助ホットソー装置切断位置から前記補助ホットソー装置を前記補助ホットソー装置待機位置に移動させる補助ホットソー装置収納工程と、
を備える
ことを特徴とする、請求項１乃至請求項３のいずれか１項に記載の、間接押出プレス装置の補助ホットソー装置を使用する押出製品の切断方法。
【発明の詳細な説明】
【技術分野】
【０００１】
本発明は、間接押出プレス装置においてビレットの”押し詰まり”が発生した場合に、ダイステムとコンテナホルダとの間に露出させた押出製品を切断することができる補助ホットソー装置に関する。
【背景技術】
【０００２】
特許文献１に開示されているように、間接押出成形用の押出プレス装置（以後、間接押出プレス装置）においては、押出成形後に、コンテナ（コンテナ１０）を収納するコンテナホルダ（コンテナホルダー１１）をエンドプラテン（カウンタフレーム１２）側に接近させて、エンドプラテンから突出するように配置させたダイステム（ダイステム１３）の先端のダイス（ダイ３３）に付着したディスカード（ディスカード３６）を、コンテナのメインクロスヘッド（クロスヘッド１５）側の端面から突出させた後、突出させたディスカードを、ダイス端面で切断分離させる形態が一般的である（同文献の第１１図）。そのため、シャー刃を備えるシャー装置（ディスカードシャ３５）が、コンテナホルダのメインクロスヘッド側上方に配置される（同文献の第２図）。尚、理解を容易にするために、括弧内に特許文献１の名称及び符号を挙げている。
【先行技術文献】
【特許文献】
【０００３】
【特許文献１】特開平０４−０７１７１９号公報
【発明の概要】
【発明が解決しようとする課題】
【０００４】
押出プレス装置においては、押出工程中に様々な要因でコンテナ内のビレットをダイスから押し出すことが困難になる場合がある。このような現象を”押し詰まり”等と呼称する。間接押出プレス装置においても同様であり、特に、銅もしくは銅合金をビレットとして使用した場合、アルミ合金を使用した場合に対して、”押し詰まり”の発生頻度が高くなる傾向があることが知られている。
【０００５】
間接押出プレス装置において”押し詰まり”が発生した場合、最終的には、コンテナ内の押残しビレットを公知の構成や方法で排出させる。しかしながら、その前に、押出製品と、押出製品に連続する押残しビレットと、を切断しなければならない。具体的には、押出工程を中止させた後、押出ステム及びコンテナホルダ（コンテナ）をエンドプラテンから離間させて、コンテナ内の押残しビレットと連続する押出製品を、エンドプラテンに配置させたダイステムとコンテナホルダとの間に露出させる。この時、特許文献１に開示されている間接押出プレス装置では、コンテナホルダを介して、露出させた押出製品の反対側、すなわち、コンテナホルダのメインクロスヘッド側上方にシャー装置が配置されているため、露出させた押出製品の切断は困難である。そのため、露出させた押出製品近傍に作業員が寄り付き、バンドソー等を使用して、人手で押出製品を切断しなければならないという問題がある。
【０００６】
また、アルミ合金のビレットは、４００℃前後に加熱された状態で押出工程が行われ、銅もしくは銅合金のビレットは、更に高い７００〜９５０℃加熱された状態で押出工程が行われる。切断後のコンテナ内の押残しビレットの排出作業を鑑みて、上記のような人手による押出製品の切断時に、コンテナ内の押残しビレットの加熱中断や、加熱温度の低下が困難であるため、”押し詰まり”が発生した場合の、このような高温環境下における人手による押出製品の切断作業を一層困難なものにしている。
【０００７】
本発明は、上記したような問題点に鑑みてなされたもので、間接押出プレス装置においてビレットの押し詰まりが発生したとき、エンドプラテンに配置させたダイステムとコンテナホルダとの間に露出させた押出製品を切断することができる補助ホットソー装置と、該補助ホットソー装置を使用する押出製品の切断方法を提供することを目的とする。
【課題を解決するための手段】
【０００８】
本発明の上記目的は、エンドプラテンとコンテナホルダとの間の、隣り合うタイロッドと平行に配置されるガイド部と、
前記ガイド部に案内されるベース部と、
シリンダロッド及びシリンダ本体部のいずれか一方が前記タイロッド側に、他方が前記ベース部に固定され、前記ベース部を前記エンドプラテンに対して離間及び接近させる駆動シリンダと、
前記ベース部に配置され、前記コンテナホルダとの干渉を回避する待機位置と、前記エンドプラテンに配置されるダイステムと前記コンテナホルダとの間に露出させた押出製品の切断が可能な切断位置との間で、回転可能なホットソーを移動させるホットソー移動機構と、
を備える、間接押出プレス装置の補助ホットソー装置によって達成される。
【０００９】
上記のような、本発明に係る、間接押出プレス装置の補助ホットソー装置は、前記ガイド部が、上方の隣り合う前記タイロッドと平行に配置される構成であっても良い。また、前記エンドプラテンに対向配置され、前記タイロッドで前記エンドプラテンと連結されるメインシリンダハウジングと、前記エンドプラテンとの間に、前記メインシリンダハウジング及び前記エンドプラテンに接触するように、前記タイロッドの外周に配置されたプリコンチューブに、前記ガイド部が配置される構成であっても良い。
【００１０】
そして、本発明の上記目的は、上記の補助ホットソー装置を使用する、前記駆動シリンダの前記シリンダロッドを後退限位置に維持させて、前記補助ホットソー装置を補助ホットソー装置待機位置に待機させておく補助ホットソー装置待機工程と、
押出工程途中に、コンテナ内のビレットの押し詰まりが発生した際、前記コンテナホルダを前記エンドプラテンから離間させて、前記エンドプラテンに配置される前記ダイステムと前記コンテナホルダとの間に前記押出製品を露出させる押出製品切断準備工程と、
前記駆動シリンダの前記シリンダロッドを前進限位置に移動させて、前記補助ホットソー装置を前記押出製品の前記切断位置の上方に対応する補助ホットソー装置切断位置に移動させる補助ホットソー装置移動工程と、
前記補助ホットソー装置の前記ホットソーを前記切断位置まで移動させて、前記押出製品を切断させる押出製品切断工程と、
前記補助ホットソー装置の前記ホットソーを前記待機位置まで移動させた後、前記駆動シリンダの前記シリンダロッドを後退限位置に移動させて、前記補助ホットソー装置を前記補助ホットソー装置待機位置に移動させる補助ホットソー装置収納工程と、
を備える押出製品の切断方法によっても達成される。
【発明の効果】
【００１１】
本発明に係る、間接押出プレス装置の補助ホットソー装置は、エンドプラテンとコンテナホルダとの間の、隣り合うタイロッドと平行に配置されるガイド部と、
前記ガイド部に案内されるベース部と、
シリンダロッド及びシリンダ本体部のいずれか一方が前記タイロッド側に、他方が前記ベース部に固定され、前記ベース部を前記エンドプラテンに対して離間及び接近させる駆動シリンダと、
前記ベース部に配置され、前記コンテナホルダとの干渉を回避する待機位置と、前記エンドプラテンに配置されるダイステムと前記コンテナホルダとの間に露出させた押出製品の切断が可能な切断位置との間で、回転可能なホットソーを移動させるホットソー移動機構と、
を備えるため、間接押出プレス装置でビレットの押し詰まりが発生したとき、エンドプラテンに配置させたダイステムとコンテナホルダとの間に露出させた押出製品を切断することができる。
【００１２】
また、本発明に係る、間接押出プレス装置の補助ホットソー装置を使用する押出製品の切断方法は、上記の補助ホットソー装置を使用する、前記駆動シリンダの前記シリンダロッドを後退限位置に維持させて、前記補助ホットソー装置を補助ホットソー装置待機位置に待機させておく補助ホットソー装置待機工程と、
押出工程途中に、コンテナ内のビレットの押し詰まりが発生した際、前記コンテナホルダを前記エンドプラテンから離間させて、前記エンドプラテンに配置される前記ダイステムと前記コンテナホルダとの間に前記押出製品を露出させる押出製品切断準備工程と、
前記駆動シリンダの前記シリンダロッドを前進限位置に移動させて、前記補助ホットソー装置を前記押出製品の前記切断位置の上方に対応する補助ホットソー装置切断位置に移動させる補助ホットソー装置移動工程と、
前記補助ホットソー装置の前記ホットソーを前記切断位置まで移動させて、前記押出製品を切断させる押出製品切断工程と、
前記補助ホットソー装置の前記ホットソーを前記待機位置まで移動させた後、前記駆動シリンダの前記シリンダロッドを後退限位置に移動させて、前記補助ホットソー装置を前記補助ホットソー装置待機位置に移動させる補助ホットソー装置収納工程と、
を備えるため、間接押出プレス装置でビレットの押し詰まりが発生したとき、エンドプラテンに配置させたダイステムとコンテナホルダとの間に露出させた押出製品を切断することができる。
【図面の簡単な説明】
【００１３】
【図１】第１実施形態に係る補助ホットソー装置が配置される、間接押出プレス装置のコンテナ近傍の側面図である。
【図２】図１のＡ矢視図である。
【図３】図２のＢ−Ｂ矢視図である。
【図４】図２のＣ矢視図である。
【図５】第１実施形態に係る補助ホットソー装置を使用する、押出製品の切断方法を説明する側面図である。
【図６】第１実施形態とは異なる、補助ホットソー装置のガイド部を説明する概略図である。
【発明を実施するための形態】
【００１４】
以下、本発明を実施するための形態について、添付図面を参照しながら詳細に説明する。なお、以下の実施形態は、各請求項に係る発明を限定するものではなく、また、実施形態の中で説明されている特徴の組み合わせの全てが発明の解決手段に必須であるとは限らない。
【００１５】
［第１実施形態］
第１実施形態に係る、間接押出プレス装置１の補助ホットソー装置４０について、図１乃至図４を参照しながら説明する。
【００１６】
まず、図１を参照しながら、補助ホットソー装置４０が配置される近傍の、間接押出プレス装置１の構成について説明する。エンドプラテン１１とメインシリンダハウジング（図示せず）とが、プリコンチューブ４が装着された４本のタイロッド３によって連結されている。そして、エンドプラテン１１のコンテナ１２（コンテナホルダ１３）側に突出させるように、ダイステム８がその基部をダイステムホルダ９により支持され、エンドプラテン１１に配置されている。尚、図を見易くするため、コンテナ１２が収納されるコンテナホルダ１３を、エンドプラテン１１に対して離間・接近させるコンテナシリンダの図示は省略している。また、図示を省略したメインクロスヘッドのコンテナ１２側に突出させるように、先端にラムノーズ７ａが装着された押出ステム７が配置されている。
【００１７】
コンテナホルダ１３の押出ステム７側の上方にはシャー装置２０が配置されている。そして、エンドプラテン１１のコンテナ１２側の上方にはコンテナストッパー装置３０が配置されている。コンテナストッパー装置３０は、エンドプラテン１１（あるいはダイステムホルダ９）に対するコンテナ１２（コンテナホルダ１３）の位置決めに使用される装置である。具体的には、押出成形後のシャー装置２０による押出製品とディスカードとの切断時に、コンテナホルダ１３の押出ステム７側の上方に配置されたシャー装置２０のシャー刃（図示せず）の下降位置と、ダイステム８の先端に装着されるダイス（図１中には図示せず）端面とを一致させる際の位置決めに使用される。
【００１８】
第１実施形態に係る補助ホットソー装置４０は、エンドプラテン１１とコンテナホルダ１３との間の、上方の隣り合うタイロッド３のプリコンチューブ４に配置される。尚、図１は、押出工程が完了し、コンテナ１２（コンテナホルダ１３）をエンドプラテン１１に接近させると共に、図示しないメインクロスヘッドに配置される押出ステム７をコンテナ１２から離間させて、ダイステム８及び押出ステム７間に、次の押出工程に使用するビレットの供給スペースを確保させた状態を示す。この状態において、例えば、間接押出プレス装置１の側方から、図示しないビレット供給手段により、押出中心までビレットが供給された後、コンテナシリンダ（図示せず）によりコンテナ１２（コンテナホルダ１３）を押出ステム７側に移動させて、コンテナ１２内にビレットを収納させる。尚、補助ホットソー装置４０は、後述する補助ホットソー装置待機位置にある。
【００１９】
次に、図２乃至図４を参照しながら、補助ホットソー装置４０を説明する。図２に示すように、上方の隣り合うタイロッド３のプリコンチューブ４のそれぞれの対向する部位に、タイロッド３と平行にガイド部４１が配置される。ガイド部４１の上面には直動ガイド４１ａのレールが配置される。図２は図１のＡ矢視図である。
【００２０】
ここで、プリコンチューブ４について簡単に説明する。プリコンチューブ４は、押出工程中にエンドプラテン１１に作用する押出作用力の変動に伴い変動するエンドプラテン１１の変形量を抑制するため、予め、間接押出プレス装置１において、所定の押出作用力を発生させた状態における、タイロッド３の伸張状態（弾性変形域）を維持させる部材である。プリコンチューブ４は、エンドプラテン１１側に形成されるフランジ部位等（図示せず）で、タイロッド３に対して回転不能にエンドプラテン１１に固定され、且つ、内挿されたタイロッド３の弾性変形域における伸張を阻害しないように、メインシリンダハウジング（図示せず）と、エンドプラテン１１との間に、メインシリンダハウジング及びエンドプラテン１１に接触するように、タイロッド３の外周に配置される。
【００２１】
間接押出プレス装置１において、エンドプラテン１１側にプリコンチューブ４を固定させた状態で所定の押出作用力を発生させると、タイロッド３が伸張され、プリコンチューブ４のメインシリンダハウジング側の端面及びメインシリンダハウジング間にタイロッド３の伸張量分の隙間が形成される。この隙間に２分割構造等のスペーサ（図示せず）を取り付けることにより、押出作用力が解除された後も、タイロッド３の伸張状態が維持される。
【００２２】
プリコンチューブは、間接押出プレス装置だけでなく、直接押出プレス装置にも一般的に採用される構成である。このプリコンチューブは、タイロッド３に対して回転不能に、且つ、内挿されたタイロッド３の弾性変形域における伸張を阻害しないようにエンドプラテン１１に固定される構成であるため、ガイド部４１の配置に好適な構成である。第１実施形態においては、タイロッド３と平行に配置されるガイド部４１が、このプリコンチューブ４に配置される形態を説明するものとする。
【００２３】
補助ホットソー装置４０の説明に戻る。ガイド部４１の上方の、隣り合うタイロッド３のプリコンチューブ４間にベース部４２が配置される。ベース部４２の下方に、直動ガイド４１ａのガイドブロックが配置され、ベース部４２が、ガイド部４１の直動ガイド４１ａのレールに案内される。そして、ベース部４２及びプリコンチューブ４間に配置される駆動シリンダ４３により、ベース部４２をエンドプラテン１１に対して離間及び接近させる。第１実施形態においては、１台の駆動シリンダ４３が、隣り合うタイロッド３のプリコンチューブ４の一方（図２における右側）にのみ配置され、図４に示すように、駆動シリンダ４３のシリンダロッド４３ａがベース部ブラケット４２ａを介してベース部４２に固定され、駆動シリンダ４３のシリンダ本体部４３ｂがシリンダブラケット４ａを介してタイロッド３側に、すなわち、プリコンチューブ４に固定されている。図４は図２のＣ矢視図であって、駆動シリンダ４３のシリンダロッド４３ａが後退限位置にある状態、すなわち、補助ホットソー装置４０が、後述する補助ホットソー装置待機位置にある状態を示す。
【００２４】
上記形態であれば、間接押出プレス装置１に対して駆動シリンダ４３が移動しないため、駆動シリンダ４３を駆動させるためのエアーや作動油の供給が容易である。しかしながら、必要に応じて、駆動シリンダ４３をこの逆、すなわち、駆動シリンダ４３のシリンダロッド４３ａがプリコンチューブ４（タイロッド３側）に固定され、駆動シリンダ４３のシリンダ本体部４３ｂがベース部４２に固定される形態も可能である。
【００２５】
そして、ベース部４２には、回転可能なホットソー４４ａを移動させる、すなわち、下降及び上昇させるホットソー移動機構４４が配置される。ホットソー４４ａは、図２及び図３に示すように、ホットソー支持ブラケット４４ｃの下方に回転可能に支持され、ホットソー支持ブラケット４４ｃの上方に配置される電動モータ等の回転駆動手段４４ｂにより、チェーンやベルト等の回転伝達機構４４ｄを介して任意に回転駆動される。図３は図２のＢ−Ｂ矢視図である。そのため、図３の回転駆動手段４４ｂの出力軸やホットソー４４ａの向きが、図１及び図５の側面図とは逆である点に留意されたい。
【００２６】
ホットソー支持ブラケット４４ｃには、上方に突出するように２本のガイドロッド４４ｅが固定されている。また、ブッシュ等の摺動支持部材が内挿された昇降ガイド部４４ｆが、ガイドロッド４４ｅに対応するベース部４２の所定位置に固定されており、ガイドロッド４４ｅが、昇降ガイド部４４ｆにより上下方向に案内される構成により、ホットソー支持ブラケット４４ｃの下降及び上昇が案内される。また、ベース部４２には、ホットソー昇降シリンダ４４ｇのシリンダ本体部が固定され、同シリンダロッドとホットソー支持ブラケット４４ｃとが、クレビス等の接続部材を介して連結されている。
【００２７】
このようなホットソー移動機構４４により、コンテナホルダ１３との干渉を回避する待機位置、すなわち、コンテナホルダ１３より上方の待機位置と、ダイステム８とコンテナホルダ１３との間に露出させた押出製品１５０の切断が可能な切断位置との間で、ホットソー４４ａを移動（下降及び上昇）させることができる。ホットソー４４ａの切断位置については後述する。
【００２８】
引き続き、第１実施形態に係る、間接押出プレス装置１の補助ホットソー装置４０を使用する、”押し詰まり”発生時における押出製品の切断方法について、図５を参照しながら説明する。
【００２９】
図５（ａ）は間接押出プレス装置１における間接押出工程を示す。図５（ａ）は側面図であるが、説明を理解し易くするために部分的に断面を図示すると共に、ガイド部４１を含む補助ホットソー装置４０全体を図示している。図５（ｂ）及び（ｃ）も同様である。
【００３０】
先に説明した、コンテナ１２内へのビレットの収納後、押出ステム７によりコンテナ１２をエンドプラテン１１側に押圧させる。押出ステム７の先端に装着されたラムノーズ７ａは、コンテナ１２のビレット収納部内径に挿入可能な小径部と、ビレット収納部内径よりも大きな大径部とを備えている。このような構成により、間接押出工程における、コンテナ１２内のビレット５０の押出ステム７側への漏洩を抑制し、ビレット５０をコンテナ１２内に確実に保持させると共に、メインシリンダハウジングのメインラム（共に図示せず）、及びサイドシリンダ（図示せず）の協働により発生させた押出作用力を、図示を省略したメインクロスヘッドのコンテナ１２側に配置される押出ステム７を介して確実にコンテナ１２に作用させる。この時、コンテナシリンダ（図示せず）は、コンテナホルダ１３の押出方向への移動を妨げない状態に維持される。
【００３１】
一方、コンテナ１２内のビレット５０は、コンテナ１２のエンドプラテン１１への接近により、ダイステム８の先端に装着されたダイス１０に押圧され、その結果、所望する断面形状の押出製品１５０が、ダイス１０及び中空のダイステム８を通って、エンドプラテン１１側へ連続して押出成形される。尚、間接押出工程中、補助ホットソー装置４０は、ホットソー４４ａをコンテナホルダ１３より上の待機位置、すなわち、コンテナホルダ１３との干渉を回避する待機位置に保持させた状態で、且つ、補助ホットソー装置待機位置にある。補助ホットソー装置待機位置は、間接押出工程や、ビレット供給工程等の非押出工程における、コンテナホルダ１３他、関連構成の必要動作が、補助ホットソー装置４０により阻害されない位置であって、補助ホットソー装置４０の駆動シリンダ４３のシリンダロッド４３ａの後退限位置である。また、本願においては、説明を容易にするため、補助ホットソー装置４０が補助ホットソー装置待機位置にある状態を補助ホットソー装置待機工程と呼称する。
【００３２】
図５（ａ）に示す間接押出工程において、”押し詰まり”が発生した状態を図５（ｂ）に示す。先に説明したように、間接押出工程を中止させた後、押出ステム７をエンドプラテン１１（コンテナホルダ１３）から離間させると共に、コンテナシリンダ（図示せず）により、コンテナホルダ１３（コンテナ１２）もエンドプラテン１１から離間させる。本願においては、このコンテナホルダ１３の離間により、コンテナ１２内に押し残したビレット５０（押残しビレット）と連続する押出製品１５０を、ダイステム８とコンテナホルダ１３（コンテナ１２）との間に露出させる工程を押出製品切断準備工程と呼称する。
【００３３】
押出製品切断準備工程後、あるいは、押出製品切断準備工程により押出製品１５０を露出させるタイミングに合わせて、駆動シリンダ４３により補助ホットソー装置４０を補助ホットソー装置待機位置から補助ホットソー装置切断位置へと移動させる。補助ホットソー装置切断位置は、ホットソー４４ａを切断位置まで移動（下降）させる際、ホットソー４４ａと、ホットソー４４ａの回転支持部位等が配置されたホットソー支持ブラケット４４ｃとが、ダイステム８に干渉しない位置であって、補助ホットソー装置４０の駆動シリンダ４３のシリンダロッド４３ａの前進限位置である。
【００３４】
また、ホットソー４４ａを移動（下降）させる切断位置は、間接押出プレス装置１で使用が想定されるダイス１０により押出中心において押出成形される押出製品１５０よりもホットソー４４ａの下方外周部が下方に到達し、押出製品１５０を確実に切断可能な位置である。言い換えれば、ホットソー４４ａを移動（下降）させる切断位置に対応する位置、すなわち、該切断位置の上方が補助ホットソー装置切断位置となる。本願においては、補助ホットソー装置４０を補助ホットソー装置待機位置から補助ホットソー装置切断位置に移動させる工程を補助ホットソー装置移動工程と呼称する。
【００３５】
補助ホットソー装置切断位置は、ホットソー４４ａを移動（下降）させる切断位置において、ホットソー４４ａと、ホットソー４４ａの回転支持部位等が配置されたホットソー支持ブラケット４４ｃとが、ダイステム８に干渉しない位置であれば良いため、押出方向におけるダイステム８に対するホットソー４４ａの位置について、高い位置精度は必要なく、駆動シリンダ４３のシリンダロッド４３ａの前進限位置とする位置決めで問題はない。
【００３６】
一方、押出製品切断準備工程における、エンドプラテン１１に対するコンテナホルダ１３（コンテナ１２）の離間位置も、ホットソー４４ａを移動（下降）させる切断位置において、ホットソー４４ａと、ホットソー４４ａの回転支持部位等が配置されたホットソー支持ブラケット４４ｃとが、ダイステム８に干渉しない位置であれば良いため、コンテナホルダ１３の離間位置についても高い位置精度は必要ない。したがって、ダイステム８に対して、十分なクリアランスが確保できる位置（離間位置）までコンテナホルダ１３を離間させれば、押出方向におけるコンテナホルダ１３に対するホットソー４４ａの位置について高い位置精度は必要なく、駆動シリンダ４３のシリンダロッド４３ａの前進限位置とする位置決めで問題はない。しかしながら、補助ホットソー装置４０を後付けする場合の制約や、間接押出プレス装置の仕様上の制約により、補助ホットソー装置切断位置に位置決め精度が必要な場合は、駆動シリンダ４３のシリンダロッド４３ａの前進限位置を位置決め可能な公知の位置決め機構が採用されれば良い。
【００３７】
補助ホットソー装置移動工程後、図５（ｃ）に示すように、補助ホットソー装置切断位置にある補助ホットソー装置４０のホットソー４４ａを切断位置まで移動（下降）させて、露出させた押出製品１５０を切断させる。本願においては、補助ホットソー装置４０のホットソー４４ａを待機位置から切断位置まで移動（下降）させて、押出製品１５０を切断させる工程を押出製品切断工程と呼称する。
【００３８】
また、図示はしていないが、押出製品切断工程後、補助ホットソー装置切断位置にある補助ホットソー装置４０のホットソー４４ａを待機位置まで移動（上昇）させた後、駆動シリンダ４３により補助ホットソー装置４０を補助ホットソー装置待機位置まで移動させる。本願においては、これを補助ホットソー装置収納工程と呼称する。補助ホットソー装置収納工程により補助ホットソー装置待機位置に戻った補助ホットソー装置４０の、駆動シリンダ４３のシリンダロッド４３ａが後退限位置にあることは先に説明したとおりである。
【００３９】
このように、”押し詰まり”発生時における押出製品の切断について、第１実施形態に係る、間接押出プレス装置１の補助ホットソー装置４０により、露出させた押出製品近傍に作業員が寄り付き、バンドソー等を使用して、人手で押出製品を切断する必要がなくなる。これにより、”押し詰まり”発生時の押出製品の切断に要する時間を大幅に短縮できる。押出製品切断後の、コンテナ内の押残しビレットの排出については、公知の排出工程や排出構成が採用されれば良いため説明は割愛する。
【００４０】
また、第１実施形態に係る、間接押出プレス装置１の補助ホットソー装置４０は、すべての構成が、エンドプラテンとコンテナホルダとの間の、上方の隣り合うタイロッドのプリコンチューブに配置される。そのため、新規に製造する間接押出プレス装置だけでなく、既設の間接押出プレス装置への後付けも容易である。
【００４１】
以上、発明を実施するための形態について、第１実施形態を説明したが、本発明は、上記の実施の形態に限定されることなく、特許請求の範囲に記載された内容を逸脱しない範囲で、色々な形で実施できる。
【００４２】
例えば、第１実施形態において、補助ホットー装置４０のガイド部４１が、上方の隣り合うタイロッド３のプリコンチューブ４のそれぞれの対向する部位に配置される形態を説明した。しかしながら、それぞれのプリコンチューブ４の上方にガイド部４１が配置される形態であっても良い。
【００４３】
一方、タイロッドにプリコンチューブが装着されない間接押出プレス装置であっても、本願に係る補助ホットソー装置４０の採用は可能である。具体的には、タイロッドに対して回転不能に、且つ、タイロッドの弾性変形域における伸張を阻害しないように、エンドプラテンに固定される部材、例えば、図６に示すようなガイド部支持部材６１により、ガイド部が、タイロッドの上方、あるいは内側側方に配置されれば良い。
【００４４】
図６（ａ）は、ガイド部支持部材６１の斜視概略図である。このガイド部支持部材６１は、平板部６１ａがガイド部４１を兼用しており、ガイド部４１の直動ガイド４１ａのレールを平板部６１ａの上面、すなわち、タイロッド３の上方に配置させる形態である。平板部６１ａの一端に形成されたＬ字形状のフランジ部６１ｂがエンドプラテン１１への取り付け部位になっている。また、ガイド部支持部材６１をタイロッド３に取り付けるために、平板部６１ａの下面に２分割の固定リング６２の一方が取り付けられている。図６（ｂ）は図６（ａ）のＤ矢視図である。
【００４５】
一方、ガイド部支持部材６１は、タイロッド３への取り付けを９０度変更し、図６（ｃ）に示すように、平板部６１ａに直交するように新たにガイド部４１を配置させることにより、タイロッド３にプリコンチューブ４が装着されていなくても、第１実施形態と同様の位置に、ガイド部４１の直動ガイド４１ａを配置させることが可能である。
【００４６】
また、第１実施形態において、ベース部４２の案内を、ガイド部４１に配置された直動ガイド４１ａで行わせる形態を説明したが、公知の直動案内構成が採用されても良い。
【００４７】
一方、第１実施形態において、駆動シリンダ４３により、ベース部４２をエンドプラテン１１に対して離間及び接近させる形態を説明したが、駆動シリンダ４３は、エアー駆動や油圧駆動、あるいは、電動モータ及びボールねじ機構等の回転運動変換機構を組み合わせた電動式アクチュエータ等、様々な駆動形態が採用可能である。
【００４８】
そして、第１実施形態においては、１台の駆動シリンダ４３が、隣り合うタイロッド３のプリコンチューブ４の一方にのみ配置される形態を説明したが、隣り合うタイロッド３のプリコンチューブ４のそれぞれに駆動シリンダ４３が配置される形態で合っても良い。
【００４９】
また、第１実施形態において、上方の隣り合うタイロッド３と平行にガイド部４１が配置される形態を説明した。これに対して、図示はしていないが、上下に隣り合うタイロッド３と平行にガイド部４１を配置させて、これに案内されるベース部に、ホットソー４４ａを水平に移動させるホットソー移動機構４４を配置させる構成も可能である。この形態においては、”押し詰まり”が発生した場合に、ホットソー４４ａを水平移動させて押出製品を切断する。この形態は、第１実施形態から具体的な形態の把握が容易であるため、詳細な説明は割愛する。
【００５０】
さらに、図示はしていないが、エンドプラテンの上方に配置されるコンテナストッパー装置３０との干渉や、コンテナホルダ１３が押出・非押出工程において移動する押出方向の移動範囲側方の諸装置・設備との干渉が回避可能であれば、コンテナホルダ１３の上方や側方にホットソー移動機構４４を配置させて、コンテナホルダ１３と一体で移動させて、”押し詰まり”が発生した場合に、ホットソー４４ａを移動させて、ダイステムとコンテナホルダとの間に露出させた押出製品を切断する形態も可能である。
【符号の説明】
【００５１】
１  間接押出プレス装置、３  タイロッド、４  プリコンチューブ、７  押出ステム、８  ダイステム、９  ダイステムホルダ、１０  ダイス、１１  エンドプラテン、１２  コンテナ、１３  コンテナホルダ、２０  シャー装置、３０  コンテナストッパー装置、４０  補助ホットソー装置、４１  ガイド部、４１ａ  直動ガイド、４２  ベース部、４３  駆動シリンダ、４３ａ  シリンダロッド、４３ｂ  シリンダ本体部、４４  ホットソー移動機構、４４ａ  ホットソー、４４ｂ  回転駆動手段、４４ｃ  ホットソー支持ブラケット、４４ｄ  回転伝達機構、４４ｅ  ガイドロッド、４４ｆ  昇降ガイド部、４４ｇ  ホットソー昇降シリンダ、５０  ビレット、６１  ガイド部支持部材、６２  固定リング、１５０  押出製品
【図１】
2020192581.tif 000003
【図２】
2020192581.tif 000004
【図３】
2020192581.tif 000005
【図４】
2020192581.tif 000006
【図５】
2020192581.tif 000007
【図６】
2020192581.tif 000008